(57)【特許請求の範囲】
【請求項１】
主制御部のＯＳ（Operating System）による制御下で、放送信号を送信する処理を実行する内部装置を備える送信機において、
前記内部装置の設定情報を保持するメモリと、
電源オンにより前記メモリから前記設定情報を読み出し、当該設定情報に基づいて前記内部装置を制御する補助制御部と
を具備し、
前記主制御部は、前記電源オン時に前記ＯＳを立ち上げること
を特徴とする送信機。
【請求項２】
前記主制御部は、前記ＯＳの立ち上げ完了後、前記内部装置に対して動作情報取得指示を出力し、前記動作情報取得指示に応じて前記内部装置から出力された動作情報を取得し、前記取得した動作情報に基づいて前記内部装置の動作状態が定常か否かを監視することを特徴とする請求項１記載の送信機。
【請求項３】
前記内部装置は、ステータス情報を前記補助制御部に送信し、
前記補助制御部は、前記ステータス情報から異常か否かを判定することを特徴とする請求項１記載の送信機。
【請求項４】
前記補助制御部は、ハードウェアロジック回路で形成されることを特徴とする請求項１記載の送信機。
【請求項５】
主制御部のＯＳ（Operating System）による制御下で、放送信号を送信する処理を実行する内部装置を備える送信機に用いられる送信機起動方法において、
前記内部装置の設定情報をメモリに保持しておき、
電源オンにより補助制御部を立ち上げて前記メモリから前記設定情報を読み出し、当該設定情報に基づいて前記内部装置を制御し、
前記電源オン時に前記主制御部がＯＳを立ち上げること
を特徴とする送信機起動方法。
【発明の詳細な説明】
【技術分野】
【０００１】
本発明の実施形態は、放送システム等に用いられる送信機及び送信機起動方法に関する。
【背景技術】
【０００２】
一般に、地上のデジタルテレビ等を放送するために使用される送信機では、その内部に設置されたユニット各部を制御装置が一括して制御している。それらの監視及び制御は、制御装置内部のＣＰＵ（Central Processing Unit）が論理的に処理し、各ユニットへ接点（インターフェイス）、あるいはＲＳ−４８５のシリアル通信等を介して行っている。
【０００３】
ここで、テレビ等の放送用として用いられる送信機は、情報を伝える社会インフラとして重要な役割を果たしている。このため、送信機は、放送波が止まらないよう、様々な対策を備えている。そして、送信機は、障害が起きた場合、速やかに障害を回避して、放送波を回復させなければならない。
【０００４】
ところで、従来の送信機内に搭載される制御装置は、ＣＰＵで使用しているＯＳ（Operating System）が立ち上がってから、送信機の内部装置を制御する。そのため、送信機は、何らかの原因で制御装置の電源が切れた場合、再び制御装置の電源を入れてからＯＳが立ち上がるまでの間、ＣＰＵによる制御装置の起動を待つ必要がある。例えば、ユーザは、ＯＳが立ち上がるまで数分間待つ必要がある。
【先行技術文献】
【特許文献】
【０００５】
【特許文献１】特開２００９−２５９０７６号公報
【発明の概要】
【発明が解決しようとする課題】
【０００６】
以上のように、従来の送信機に搭載される制御装置の場合、一度電源が切れ、再び電源を入れてから送信機を起動させるためには、ＣＰＵで使用しているＯＳが立ち上がるまで待たなければならない。
【０００７】
そこで、目的は、従来よりも短時間で起動することが可能な送信機、及び送信機起動方法を提供することにある。
【課題を解決するための手段】
【０００８】
本実施形態によれば、送信機は、主制御部のＯＳ（Operating System）による制御下で、放送信号を送信する処理を実行する内部装置を備える送信機において、
メモリと、補助制御部とを具備する。メモリは、前記内部装置の設定情報を保持する。補助制御部は、電源オンにより前記メモリから前記設定情報を読み出し、当該設定情報に基づいて前記内部装置を制御する。また、主制御部は、前記電源オン時に前記ＯＳを立ち上げる。
【図面の簡単な説明】
【０００９】
【図１】本実施形態に係る制御装置を備える送信機の構成を示すブロック図。
【図２】図１に示す制御装置の構成を示すブロック図。
【図３】本実施形態に係る送信機の起動方法を示すシーケンス図。
【発明を実施するための形態】
【００１０】
以下、実施形態について、図面を参照して説明する。
【００１１】
図１は、本実施形態に係る制御装置を備える送信機の構成を示すブロック図である。なお、本実施形態における送信機の構成は、一例として示すものであり、図１に示す構成に限るものではない。
【００１２】
図１に示す送信機の第１の入力系統、及び第２の入力系統には、デジタル放送信号等の信号が入力される。第１の入力系統から入力される信号は、エキサイタ（励振器）１及び切替器２を介して電力増幅器（ＰＡ：Power Amplifier）３に供給される。そして、電力増幅器３によって所定信号レベルまで電力増幅され、ＢＰＦ（バンドパスフィルタ：Band Pass Filter）４を介して出力され、アンテナ等により送信信号として送出される。同様に、第２の入力系統から入力される信号は、エキサイタ５及び切替器２を介して電力増幅器３に供給される。そして、電力増幅器３によって所定信号レベルまで電力増幅され、ＢＰＦ４を介して出力され、アンテナ等により送信信号として送出される。なお、上記電力増幅器３は、電力増幅時に発熱するため、冷却装置７により冷却される。
【００１３】
このとき、エキサイタ１は、第１の入力系統から入力される信号を所定の放送方式に変調する。このとき、エキサイタ１は、電力増幅器３とＢＰＦ４の間における信号から非線形歪み成分を検出し、非線形歪み補償量を入力信号に加算することで非線形歪み成分を補償する。同様に、エキサイタ５は、第２の入力系統から入力される信号を所定の放送方式に変調する。このとき、エキサイタ５は、電力増幅器３とＢＰＦ４との間における信号から非線形歪み成分を検出し、非線形歪み補償量を入力信号に加算することで非線形歪み成分を補償する。
【００１４】
制御装置６は、上記送信機内に設置された内部装置の制御を行う装置である。内部装置とは、例えば、エキサイタ１、５や電力増幅器３のことである。ここで、制御装置６について詳しく説明する。
【００１５】
図２は、図１に示す制御装置６の構成を示すブロック図である。
【００１６】
制御装置６は、不揮発性メモリ６１と、内部装置制御部６２と、切替器６３と、ＣＰＵ６４と、インターフェイス６５と、送受信部（ＲＳ−４８５トランシーバ）６６と、デコーダ６７、６８とを有する。
【００１７】
不揮発性メモリ６１は、事前に内部装置の設定情報を保持する。ここで、設定情報とは、内部装置に設定されるパラメータ情報等の数値情報のことである。また、設定情報は、内部装置制御部６２の指示により、前回の送信機運用後に保持されてもよいし、送信機の運用とは別に、保持されてもよい。
【００１８】
補助制御部として動作する内部装置制御部６２は、ハードウェアロジック回路、例えば、ＦＰＧＡで形成される内部装置の制御を行う装置である。まず、内部装置制御部６２は、電源のオン操作を受けると、動作を開始する。内部装置制御部６２は、切替器６３に対して、不揮発性メモリ６１から読み出した設定情報を内部装置制御部６２へ送る旨の指示を表す送信先指定指示を出力する。内部装置制御部６２は、切替器６３を介して不揮発性メモリ６１にアクセスし、不揮発性メモリ６１に保持された内部装置の設定情報を取得する。また、内部装置制御部６２は、インターフェイス６５を介して、内部装置から出力されるオン情報及びアラームなどの異常検知情報といったステータス情報を取得する。内部装置制御部６２は、取得したステータス情報を参照して、異常か否かを判定し、内部装置のいずれかに異常が検知された場合、予備系に切り替える、またはアラームを出力してユーザに警告する。内部装置のいずれにも異常が検知されない場合、内部装置制御部６２は、内部装置に対して動作開始制御を行い、内部装置を動作させる。
【００１９】
また、内部装置制御部６２は、内部装置を動作させた後、切替器６３に対して、不揮発性メモリ６１から読み出した設定情報をＣＰＵ６４へ送る旨の指示を表す送信先指定指示を出力する。
【００２０】
また、内部装置制御部６２は、内部装置が安定して動作している状態、すなわち、内部装置が定常状態で動作している時、内部装置から出力されるステータス情報を取得する。内部装置制御部６２は、取得したステータス情報を参照して、異常か否かを判定し、内部装置のいずれかに異常が検知された場合、予備系に切り替える、またはアラームを出力して、ユーザに警告する。
【００２１】
切替器６３は、内部装置制御部６２から指定された送信先へ、不揮発性メモリ６１から読み出した設定情報を送信する。すなわち、切替器６３は、内部装置制御部６２へ設定情報を送る旨の指示を表す送信先指定指示を内部装置制御部６２から受けた場合、不揮発性メモリ６１から読み出した設定情報を内部装置制御部６２へ送信する。また、切替器６３は、ＣＰＵ６４へ設定情報を送る旨の指示を表す送信先指定指示を内部装置制御部６２から受けた場合、不揮発性メモリ６１から読み出した設定情報をＣＰＵ６４へ送信する。
【００２２】
主制御部として動作するＣＰＵ６４は、ＯＳを立ち上げ、内部装置が定常状態で動作しているかを確認する装置である。ＣＰＵ６４は、電源のオン操作を受けると、動作を開始し、使用するＯＳの立ち上げを開始する。
【００２３】
また、ＣＰＵ６４は、ＯＳの立ち上げが完了した後、切替器６３を介して不揮発性メモリ６１にアクセスし、不揮発性メモリ６１に保持された内部装置の設定情報を取得する。また、ＣＰＵ６４は、送受信部６６を介して、エキサイタ１、５及び電力増幅器３に動作情報取得指示を送り、動作情報取得指示に応じて出力された動作情報を取得する。なお、上記動作情報とは、エキサイタ１、５及び電力増幅器３の温度情報や電流・電圧情報等、エキサイタ１、５及び電力増幅器３それぞれに設置されたセンサ等により計測される数値情報のことである。ＣＰＵ６４は、上記動作情報を参照して、内部装置の動作状態が定常か否かを監視する。
【００２４】
また、ＣＰＵ６４は、内部装置が定常状態で動作している時、エキサイタ１、５及び電力増幅器３に対して、デコーダ６７、６８を介して入力されるユーザからのスイッチ操作及びタッチパネル操作により、エキサイタ１、５の補償量の設定や電力増幅器３の所定信号レベルの設定といった指示を行う。
【００２５】
インターフェイス６５は、内部装置制御部６２と内部装置とを接続し、内部装置制御部６２と内部装置との通信を中継する。
【００２６】
送受信部６６は、ＣＰＵ６４とエキサイタ１、５及び電力増幅器３とを接続し、ＲＳ−４８５によるシリアル通信で、エキサイタ１、５及び電力増幅器３へＣＰＵ６４からの指示を送信する。なお、本実施形態におけるＣＰＵ６４からの指示とは、上記ＣＰＵ６４から送られるエキサイタ１、５及び電力増幅器３への動作情報取得指示とエキサイタ１、５及び電力増幅器３への設定指示のことである。また、送受信部６６は、エキサイタ１、５及び電力増幅器３から出力される動作情報を受信する。なお、送受信部６６とエキサイタ１、５及び電力増幅器３との接続は、有線接続であっても、無線接続であってもよい。
【００２７】
次に、上記構成における動作について説明する。
【００２８】
図３は、本実施形態に係る送信機の起動方法を示すシーケンス図である。
【００２９】
まず、内部装置制御部６２は、電源のオン操作を受けると（シーケンスＳ１）、動作を開始する（シーケンスＳ２）。また、ＣＰＵ６４は、電源のオン操作を受けると（シーケンスＳ１）、動作を開始し、使用するＯＳの立ち上げを開始する（シーケンスＳ３）。
【００３０】
次に、内部装置制御部６２は、切替器６３に対して、不揮発性メモリ６１から読み出した設定情報を内部装置制御部６２へ送る旨の指示を表す送信先指定指示を出力する。（シーケンスＳ４）。内部装置制御部６２は、不揮発性メモリ６１から読み出した設定情報を内部装置制御部６２へ送る旨の指示により、不揮発性メモリ６１へアクセスし、不揮発性メモリ６１から内部装置の設定情報を取得する（シーケンスＳ５）。内部装置制御部６２は、インターフェイス６５の入出力の有無を確認する（シーケンスＳ６）。インターフェイス６５がある場合、内部装置は、内部装置制御部６２に対して、ステータス情報を送信する。内部装置制御部６２は、送信された内部装置からのステータス情報を取得する（シーケンスＳ７）。ここで、内部装置制御部６２は、取得したステータス情報を参照し、内部装置のいずれかに異常が検知された場合、予備系に切り替える、またはアラームを出力して、ユーザに警告する。（シーケンスＳ８）。内部装置のいずれにも異常が検知されない場合、内部装置制御部６２は、インターフェイス６５を介して内部装置の動作開始制御を行う。これにより、内部装置は動作を開始する（シーケンスＳ９）。
【００３１】
内部装置の動作が開始された後、ＣＰＵ６４は、ＯＳの立ち上げを完了する（シーケンスＳ１０）。また、内部装置制御部６２は、切替器６３に対して、不揮発性メモリ６１から読み出した設定情報をＣＰＵ６４へ送る旨の指示を表す送信先指定指示を出力する。（シーケンスＳ１１）。ＣＰＵ６４は、内部装置制御部６２による不揮発性メモリ６１から読み出した設定情報をＣＰＵ６４へ送る旨の指示により、不揮発性メモリ６１へアクセスし、不揮発性メモリ６１から内部装置の設定情報を取得する（シーケンスＳ１２）。また、ＣＰＵ６４は、送受信部６６の入出力の有無を確認する（シーケンスＳ１３）。送受信部６６がある場合、ＣＰＵ６４は、送受信部６６を介して、エキサイタ１、５及び電力増幅器３へ動作情報取得指示を送り、動作情報取得指示に応じて出力されたエキサイタ１、５及び電力増幅器３から出力される動作情報を取得する（シーケンスＳ１４）。ＣＰＵ６４は、動作情報を参照して、内部装置の動作状態が定常か否かを監視する。
【００３２】
上記過程を経て、送信機は、定常状態で起動される。
【００３３】
以上のように、上記実施形態において、制御装置６は、内部装置制御部６２とＣＰＵ６４とを備え、内部装置制御部６２により、内部装置の動作開始制御を行い、ＣＰＵ６４により、内部装置制御部６２による内部装置の動作開始制御と並列して、ＯＳの立ち上げを開始する。これにより、内部装置制御部６２は、ＣＰＵ６４によるＯＳの立ち上げ中に、内部装置の動作を開始させることが可能となる。
【００３４】
したがって、本実施形態に係る送信機は、従来よりも短時間で起動することができる。
【００３５】
また、ＣＰＵ６４は、ＯＳの立ち上げが完了した後、内部装置の動作情報を取得する。これにより、ＣＰＵ６４は、取得した動作情報を参照して、内部装置の動作状態が定常か否かを監視することができる。
【００３６】
また、内部装置制御部６２は、内部装置から出力されるステータス情報を取得する。これにより、内部装置制御部６２は、取得したステータス情報を参照して、異常か否かを判定し、内部装置のいずれかに異常が検知された場合、予備系に切り替える、またはアラームを出力して、ユーザに警告することができる。
【００３７】
また、内部装置制御部６２は、内部装置が定常状態で動作している時、内部装置から出力されるステータス情報を取得する。これにより、内部装置が定常状態で動作している時、内部装置制御部６２は、取得したステータス情報を参照して、異常か否かを判定し、内部装置のいずれかに異常が検知された場合、予備系に切り替える、またはアラームを出力して、ユーザに警告することができる。
【００３８】
ここで、上記実施形態の送信機では、入力系統が２つの場合について説明したが、さらに多数の系統を有する場合でも同様に実施可能である。
【００３９】
また、上記実施形態の送信機は、内部装置制御部６２とＣＰＵ６４とで、別々に不揮発性メモリを備えてもいてもよい。
【００４０】
また、上記実施形態の送信機では、内部装置制御部６２が切替器６３へ送信先指定指示を出力しているが、ＣＰＵ６４が切替器６３へ送信先指定指示を出力していてもよい。
【００４１】
以上、本発明の実施形態を説明したが、この実施形態は、例として提示したものであり、発明の範囲を限定することは意図していない。この実施形態は、その他の様々な形態で実施されることが可能であり、発明の要旨を逸脱しない範囲で、種々の省略、置き換え、変更を行うことができる。この実施形態やその変形は、発明の範囲や要旨に含まれると同様に、特許請求の範囲に記載された発明とその均等の範囲に含まれるものである。
【符号の説明】
【００４２】
１、５…エキサイタ（励振器）、２…切替器、３…電力増幅器（ＰＡ）、４…バンドパスフィルタ（ＢＰＦ）、６…制御装置、６１…不揮発性メモリ、６２…内部装置制御部、６３…切替器、６４…ＣＰＵ、６５…インターフェイス、６６…送受信部、６７、６８…デコーダ、７…冷却装置。
【要約】 
【課題】従来よりも短時間で起動することが可能な送信機、及び送信機起動方法を提供する。
【解決手段】放送信号を送信するための内部装置を備える送信機において、不揮発性メモリと、内部装置制御部と、ＣＰＵ（Central Processing Unit）とを備える。不揮発性メモリは、内部装置の設定情報を保持する。内部装置制御部は、電源オンにより不揮発性メモリから設定情報を読み出し、当該設定情報に基づいて内部装置を制御する。また、ＣＰＵは、電源オン時にＯＳを立ち上げる。  
【選択図】図２【図１】
0005450745.tif 000002
【図２】
0005450745.tif 000003
【図３】
0005450745.tif 000004